(57)【特許請求の範囲】
【請求項１】
シャフト回りに回転する回転体に設けられたロータマグネットと、
前記シャフトに対し同心状の配置でハウジングに設けられた支持部に固定されて前記ロータマグネットに対向したステータとを備え、
前記ステータは、
４つの磁極歯を有するステータコアと、前記ステータコアを覆うインシュレータと、前記ステータコアにおける前記４つの磁極歯のうちの互いに対峙する各２つの磁極歯に前記インシュレータを介してそれぞれ１相分が巻装された２相のステータコイルと、前記各磁極歯の間における前記インシュレータの部分にそれぞれ形成された４個のボス部と、４個のうちの３個の前記各ボス部にそれぞれ挿通保持された３本の導電ピンと、残りの１個の前記ボス部に設けられたダミーピンとを備えるとともに、
前記ステータコイルにおける第１相分のコイル巻線の両端部がそれぞれ前記磁極歯の下方側から第１，第２の前記導電ピンの上端部に案内されて接続され、第２相分のコイル巻線の一端部が前記磁極歯の下方側から第３の前記導電ピンの上端部に案内されて接続され、且つ他端部近傍部分が前記磁極歯の下方側から前記ダミーピンの上端部に案内されて中継接続されるとともに、他端部が第１の前記導電ピンの上端部に第１相と共通に接続されていることを特徴とするブラシレスモータ。
【請求項２】
前記ダミーピンは、前記導電ピンと同一のものからなり、前記ダミーピンが前記残りの１個のボス部に挿通保持されている請求項１記載のブラシレスモータ。
【請求項３】
前記ダミーピンは、前記残りの１個のボス部に一体成形により形成され、ダミーピンの上端位置が前記３本の導電ピンの上端部より低く設定されている請求項１記載のブラシレスモータ。
【請求項４】
前記第２相分のコイル線の他端部は、前記ダミーピンに中継接続された後、前記磁極歯の下側を通して前記第１の導電ピンの上端部に接続されている請求項１記載のブラシレスモータ。
【発明の詳細な説明】
【０００１】
【発明の属する技術分野】
本発明は、例えば、パーソナルコンピュータやワードプロセッサなどのＯＡ機器や家電製品或いはＡＶ機器の冷却用としての小型軸流ファンを構成するためのファンモータなどに利用されるブラシレスモータに関するものである。
【０００２】
【従来の技術】
この種の従来のブラシレスモータとしては、ファンモータに適用した場合、例えば、特開平6-253482号公報に記載のものが存在する。このファンモータのステータは、図６（ｂ）の正面図および同図（ｃ）の切断右側面図に示すような構成になっている。すなわち、このステータ１は、４つの磁極歯（ティース）２Ａ〜２Ｄを有するステータコア２に対し、絶縁樹脂からなる一対のインシュレータ３，４を、上下から挟み込んで嵌め合わすことにより、ステータコア２をインシュレータ３，４で覆っている。また、一対のインシュレータ３，４を互いに嵌め合わせた状態の平面図を示す同図（ａ）のように、インシュレータ３，４には、４つの磁極歯２Ａ〜２Ｄを覆う磁極対応部７Ａ〜７Ｄを有しており、この各磁極歯２Ａ〜２Ｄにインシュレータ３，４を介してステータコイル８を後述するように２相に巻装してステータ１が構成されている。ステータコア２とステータコイル８間は、これらの間に介在させた両インシュレータ３，４によって電気的絶縁されている。
【０００３】
図６（ａ）に示すように、下部インシュレータ４には、４つの磁極歯２Ａ〜２Ｄの各間にそれぞれ存在する空間である４個のスロット９Ａ〜９Ｄにおいて、それぞれ径方向外方へ突出するボス部１０Ａ〜１０Ｄが一体成形されており、この各ボス部１０Ａ〜１０Ｄはそれぞれ取付孔１１Ａ〜１１Ｄを有している。この４個のうちの３個のボス部１０Ａ，１０Ｃ，１０Ｄの各々の取付孔１１Ａ，１１Ｃ，１１Ｄには、導電ピン（からげピン）１２がそれぞれ挿通して保持され、残り１個のボス部１０Ｂはそのままの状態にされている。
【０００４】
また、ステータコイル８は以下のようにして２相に巻装されている。すなわち、ステータ１の展開説明図である図６（ｄ）に示すように、第１相分の第１のコイル巻線８ａは、互いに対峙する第１および第３の磁極歯２Ａ，２Ｃに巻装され、且つ第２相分の第２のコイル巻線８ｂは、互いに対峙する第２および第４の磁極歯２Ｂ，２Ｄに巻装されている。
【０００５】
さらに、第１のコイル巻線８ａの巻き始め端が第１のボス部１０Ａの導電ピン１２の上端部に第１の磁極歯２Ａの下方側から案内されてからげ接続され、第２のコイル巻線８ｂの巻き終わり端が第４のボス部１０Ｄの導電ピン１２の上端部に第４の磁極歯２Ｄの下方側から案内されてからげ接続され、第１のコイル巻線８ａの巻き終わり端および第２のコイル巻線８ｂの巻き始め端が第３のボス部１０Ｃの導電ピン１２の上端部に第３の磁極歯２Ｃの上方側および下方側からそれぞれ案内されて共通にからげ接続されている。各導電ピン１２は各々の下端部を回路基板（図示せず）の取付孔に挿通して半田付けされ、これにより、各コイル巻線８ａ，８ｂは導電ピン１２を介して回路基板の駆動回路に接続される。
【０００６】
この種のファンモータの駆動には、一般に２相ユニポーラ駆動方式が採用されている（特開平6-105590号公報参照）。すなわち、図７に示すように、第１相分のコイル巻線８ａは２本の導電ピン１２を介して回路基板１３の共通端子ＴＣと第１の端子Ｔ１間に電気的に接続され、第２相分のコイル巻線８ｂは２本の導電ピン１２を介して共通端子ＴＣと第２の端子Ｔ２間に電気的に接続される。この両コイル巻線８ａ，８ｂには、回路基板１３に実装して搭載されたトランジスタなどからなるスイッチング素子Ｓ１，Ｓ２のスイッチング動作により、共に同一方向に電流が流される。
【０００７】
【発明が解決しようとする課題】
図６（ｂ）〜（ｄ）に示す構成に組み立てられたステータ１は、ファンモータの組み立てに際して、特開平6-253482号公報にも示されているように、下部インシュレータ４の垂下片１４を回路基板１３の取付孔に嵌入し、且つ各導電ピン１２の下端部を回路基板１３の取付孔に挿入して半田付けすることにより、その下部に回路基板１３を装着した状態としたのちに、ファンモータの本体部分を構成するハウジングの円筒部に、図６（ａ）に示す中央の筒部１７を外嵌固定して組み込まれる。このステータ１のハウジングへの組み込みは自動組立機等を用いて行われる。
【０００８】
ところで、前述した従来のブラシレスモータにおけるステータ１では、第１の磁極歯２Ａに巻回される第１のコイル巻線８ａの巻き始め端が第１のボス部１０Ａの導電ピン１２の上端部に対し第１の磁極歯２Ａの下方側から案内され、第４の磁極歯２Ｄに巻回される第２のコイル巻線８ａの巻き終わり端が第４のボス部１０Ｄの導電ピン１２の上端部に対し第４の磁極歯２Ｄの下側から案内されている。これに対し、回路基板１３の共通端子ＴＣに接続される第３のボス部１０Ｃの導電ピン１２には、第１のコイル巻線８ａの巻き終わり端と第２のコイル巻線８ｂの巻き始め端とが共通にからげ接続される構成になっているため、この第３のボス部１０Ｃの導電ピン１２には、必然的に２本のうちの何れか一方のコイル巻線８ａまたは８ｂ（図示例では第２のコイル巻線８ｂの巻き始め端）が隣接する磁極歯２Ｃの上側から案内されることになる。
【０００９】
しかしながら、上述のように、第３のボス部１０Ｃに保持された一本の導電ピン１２の上端部に対し２本のコイル巻線８ａ，８ｂが隣接する磁極歯２Ｃの下方側と上方側とからそれぞれ案内されている場合には、組立工程において、ステータ１の各導電ピン１２に下方への押圧力が加わると、ボス部１０，１０Ｃ，１０Ｄに貫通保持されている各導電ピン１２が取付孔１１Ａ，１１Ｃ，１１Ｄを下方にスライドするので、磁極歯２Ｄの上方側から案内されて導電ピン１２に接続されたコイル巻線８ｂには、その導電ピン１２が下方にスライドするの伴い引っ張られてテンションが加わるために、断線する不具合が生じることがある。
【００１０】
本発明は、上記従来の課題に鑑みてなされたもので、組立工程においてコイルが接続される導電ピンにスライド力が加わっても、ステータコイルの断線の発生を確実に防止し得るブラシレスモータを提供することを目的とする。
【００１１】
【課題を解決するための手段】
上記した目的を達成するために、本発明に係るブラシレスモータは、シャフト回りに回転する回転体に設けられたロータマグネットと、前記シャフトに対し同心状の配置でハウジングに設けられた支持部に固定されて前記ロータマグネットに対向したステータとを備え、前記ステータは、４つの磁極歯を有するステータコアと、前記ステータコアを覆うインシュレータと、前記ステータコアにおける４つの磁極歯のうちの互いに対峙する各２つの磁極歯に前記インシュレータを介してそれぞれ１相分が巻装された２相のステータコイルと、前記各磁極歯の間における前記インシュレータの部分にそれぞれ形成された４個のボス部と、４個のうちの３個の前記各ボス部にそれぞれ挿通保持された３本の導電ピンと、残りの１個の前記ボス部に設けられたダミーピンとを備えるとともに、前記ステータコイルにおける第１相分のコイル巻線の両端部がそれぞれ前記磁極歯の下方側から第１，第２の前記導電ピンの上端部に案内されて接続され、第２相分のコイル巻線の一端部が前記磁極歯の下方側から第３の前記導電ピンの上端部に案内されて接続され、且つ他端部近傍部分が前記磁極歯の下方側から前記ダミーピンの上端部に案内されて中継接続されるとともに、他端部が第１の前記導電ピンの上端部に第１相と共通に接続されていることを特徴としている。
【００１２】
このブラシレスモータでは、ステータ自身の組立工程あるいはこのステータを用いた組立工程で、導電ピンおよびダミーピンにインシュレータに対して下方への押圧力が加わっても、ステータコイルの２相分の各コイル巻線は、各々の両端部が３本の導電ピンおよびダミーピンの各々の上端部に対しそれぞれ磁極歯の下方側から案内されてからげ接続されていることから、導電ピンおよびダミーピンが仮に下方にスライドしても、これに接続されているコイルが単に弛むだけであって、テンションが加わることがないので、断線が生じることがない。
【００１３】
上記したような、導電ピンなどに押圧力が作用するのは、ステータ完成品をハウジングの支持部に固定する際にステータを押圧することに関連して導電ピンなどが直接押圧される場合に生じるのは勿論であるが、ステータ自身の組立時においてこれが必然的に行われる場合もある。例えば、インシュレータの各ボス部に導電ピンなどを予め上側に寄せた状態で挿通保持してコイルの接続作業を容易にし、コイル接続完了後に導電ピンを下方へスライドさせて下方への突出部分を確保し、これを回路基板等に接続するような場合である。この場合、導電ピンなどを必要以上に長く形成する必要がなく、モータ内部において導電ピンなどがステータから突出することがないため、モータの小型化に適している。
【００１４】
また、上述したブラシレスモータおいて、前記ダミーピンを、前記導電ピンと同一のものから構成してこれを残りの１個のボス部に挿通保持してもよく、あるいは、前記ダミーピンを、前記残りの１個のボス部に一体成形により形成してもよい。後者の場合、ダミーピンの上端位置を前記３本の導電ピンの上端部より低く設定するのがよい。あるいは、前記第２相分のコイル線の他端部は、前記ダミーピンに中継接続された後、前記磁極歯の下側を通して前記第１の導電ピンの上端部に接続されているものとすることができる。
【００１５】
【発明の実施の形態】
以下、本発明の好ましい実施形態について図面を参照しながら詳述する。
図１は本発明の一実施形態に係るブラシレスモータを示す縦断面図であり、同図には、小型軸流ファンの構成に適用したファンモータを例示してある。このファンモータは、構成を大別すると、中央部に円筒部１９を有するモータ本体のハウジング１８と、ハウジング１８の円筒部１９の内周面に上下一対の軸受２０を介して回転自在に枢支されたシャフト２１と、シャフト２１の上端部に固着されたインペラ２２と、ハウジング１８の円筒部１９に外嵌固定されたステータ２３とを備えて構成されている。なお、円筒部１９は、ハウジング１８に一体形成された外筒部１９ａと、この外筒部１９ａの内周面に嵌合固定された内筒部１９ｂとからなる。
【００１６】
上記インペラ２２は、その軸心部をシャフト２１に固定された碗形基部２４と、この碗形基部２４の内周面にヨーク２７を介して取り付けられたロータマグネット２８と、碗形基部２４の外周面に突設された複数の羽根２９とを備えて構成されている。一方、ステータ２３は、複数枚のコアラミネーションが積層されてなり４つの磁極歯３０Ａ〜３０Ｄを有するステータコア３０と、このステータコア３０に上下から挟み付けるように取り付けられた一対のインシュレータ（絶縁樹脂）３１，３２と、ステータコア３０の各磁極歯３０Ａ〜３０Ｄにインシュレータ３１，３２を介して巻装されたステータコイル３３とを備えて構成されている。なお、ステータ２３の詳細については後述する。また、ステータ２３の下部には回路基板１３が装着されており、回路基板１３には回転検出器３４や他の電子部品が実装されてモータ駆動回路が構成されている。
【００１７】
上述のように構成されたファンモータは、外部の駆動電源から回路基板１３上の回路に駆動電流を供給することにより、後述の導電ピン１２を通じてステータ２３のステータコイル３３への通電が制御され、ステータ２３とこれに少許の間隙で径方向に対向配置されたロータマグネット２８との間に磁気的相互作用が生じて、複数の羽根２９を一体に有するインペラ２２がシャフト２１を回転支軸として回転するものである。
【００１８】
つぎに、本発明の要旨とする構成であるステータ２３について説明する。図２（ａ）はステータコア３０に一対のインシュレータ３１，３２を重ね合わせた状態（つまりステータコイル３３を巻回していない状態）の平面図である。両インシュレータ３１，３２には、図１に明示するように円筒部１９の内筒部１９ｂおよび外筒部１９ａにそれぞれ外嵌固定される筒部３７，３８が形成されているとともに、ステータコア３０の４つの磁極歯３０Ａ〜３０Ｄを覆う磁極対応部３９Ａ〜３９Ｄと、下部インシュレータ３２に一体に形成され各磁極歯３０Ａ〜３０Ｄの各間にそれぞれ形成されたスロット４０Ａ〜４０Ｄの部位において径方向の外方にそれぞれ一体に突設された第１ないし第４の４個のボス部４１Ａ〜４１Ｄとが形成されている。
【００１９】
上記の各ボス部４１Ａ〜４１Ｄはいずれも取付孔４２Ａ〜４２Ｄを有しており、そのうちの３個のボス部４１Ａ，４１Ｃ，４１Ｄの各取付孔４２Ａ，４２Ｃ，４２Ｄにはそれぞれ導電ピン１２が挿通保持されているのは従来と同様であるが、この実施形態では、従来において何ら保持されていなかった第２のボス部４１Ｂの取付孔４２Ｂに導電ピン１２と同一構成のダミーピン４３が挿通保持されている。
【００２０】
また、ステータコイル３３は、図２（ｂ），（ｃ）のステータ２３の正面図および切断右側面図並びに同図（ｄ）のステータ２３の展開説明図にそれぞれ示すように２相に巻装されている。すなわち、ステータコイル３３の第１相分の第１のコイル巻線３３ａは、互いに対峙する第１および第３の磁極歯３０Ａ，３０Ｃに巻装され、且つ第２相分の第２のコイル巻線３３ｂは、互いに対峙する第２および第４の磁極歯３０Ｂ，３０Ｄに巻装されている。
【００２１】
そして、ステータコイル３３の第１のコイル巻線３３ａは、その巻き始め端が第１のボス部４１Ａの導電ピン１２の上端部にからげ接続されて第１の磁極歯３０Ａの下方側に向け案内されているとともに、第３の磁極歯３０Ｃの下方側から第２のボス部４１Ｂのダミーピン４３の上端部に案内されてからげ接続され、さらに、巻き終わり端がダミーピン４３の上端部から第３のボス部４１Ｃの導電ピンの上端部に架け渡されてからげ接続されている。一方、ステータコイル３３の第２のコイル巻線３３ｂは、従来と同様に、その巻き始め端が第３のボス部４１Ｃの導電ピン１２の上端部に対し第１のコイル巻線３３ａの巻き終わり端と共通にからげ接続されて第３の磁極歯３０Ｃの下方側に向け案内されているとともに、その巻き終わり端が第４のボス部４１Ｄの導電ピン１２の上端部に対し第４の磁極歯３０Ｄの下方側から案内されてからげ接続されている。
【００２２】
上記構成としたステータ２３は、ハウジング１８の円筒部１９に組み込むに際して、３本の導電ピン１２およびダミーピン４３の各々の下端部が図１に示す回路基板１３の取付孔４４に挿通して半田付けされ、且つ下部インシュレータ３２の垂下片４７が回路基板１３の取付孔４４に嵌入されることにより、下部に回路基板１３が装着される。これにより、図３に示すように、ステータコイル３３の第１のコイル巻線３３ａは２本の導電ピン１２およびダミーピン４３を介して回路基板１３の共通端子ＴＣと第１の端子Ｔ１との間に電気的接続され、第２のコイル巻線３３ｂは２本の導電ピン１２を介して回路基板２３の共通端子ＴＣと第２の端子Ｔ２との間に電気的接続される。この両コイル巻線３３ａ，３３ｂには、従来と同様に、スイッチング素子Ｓ１，Ｓ２のスイッチング動作によって２相ユニポーラ駆動方式で電流が供給される。
【００２３】
上記ステータ２３の組立に際しては、つぎのような組立方法が可能である。すなわち、ステータコア３０に一対のインシュレータ３１，３２を装着し、インシュレータ３２の各ボス部４１Ａ〜４１Ｄに導電ピン１２およびダミーピン４３をそれぞれ上端側に変位させた状態で保持し、ステータコア３０の各磁極歯３０Ａ〜３０Ｄにコイル３３を巻装する。その後、少なくとも導電ピン１２の上端におけるコイル線接続部を半田付けし、各導電ピン１２およびダミーピン４３を各ボス部４１Ａ〜４１Ｄに対して下方へスライドさせ、その下端部をステータ２３より下方へ突出させ、これらの回路基板１３への接続を容易にする。
【００２４】
下部に回路基板１３を装着したステータ２３は、先ず下部インシュレータ３２の筒部３８をハウジング１８の円筒部１９の上端部に嵌め合わせた状態とされたのちに、インシュレータ３２の筒部３８が下方へ押し下げられ、ハウジング１８の所定位置に組み込まれる。この作業時、３本の導電ピン１２およびダミーピン４３の各々の上端面に下方への押圧力が作用することもあり得る。
【００２５】
上述した３本の導電ピン１２およびダミーピン４３の押し下げ作業時、あるいはステータ２３のハウジングへの組み込みに伴って押圧力が作用した時、両コイル巻線３３ａ，３３ｂは、各々の両端部が３本の導電ピン１２およびダミーピン４３の各々の上端部に対しそれぞれ下方側から案内されてからげ接続されていることから、導電ピン１２およびダミーピン４３が各々のボス部４１Ａ〜４１Ｄの各取付孔４２Ａ〜４２Ｄに対し下方にスライドするに従って、単に弛むだけであって、テンションが加わることがないので、断線が生じることがない。また、第１のコイル巻線３３ａの巻き終わり端部は、第２および第３のボス部４１Ｂ，４１Ｃの導電ピン１２とダミーピン４３との各々の上端部間に架け渡されているから、この導電ピン１２とダミーピン４３とが均等に下方にスライドすることによって何らテンションが加わらない。
【００２６】
図４は、本発明の他の実施形態を示すステータ２３の展開説明図である。
この実施形態は、図１〜図３で説明した実施形態におけるコイル線処理を改良したものであり、図４は、前記図２（ｄ）に対応するものである。
ステータコイル３３の第１のコイル巻線３３ａの巻線作業において、その巻き始め端が第１のボス部４１Ａの導電ピン１２の上端部にからげ接続されて第１の磁極歯３０Ａの下方側に向け案内されているとともに、第３の磁極歯３０Ｃの下方側から第２のボス部４１Ｂのダミーピン４３の上端部に案内されてからげ接続され、さらに、巻き終わり端がダミーピン４３の上端部から第３の磁極歯３０Ｃの下方側に戻して、この第３の磁極歯３０Ｃの下方側から第３のボス部４１Ｃの導電ピンの上端部に案内されてからげ接続されている。
【００２７】
このような構成を採ることにより、コイル線３３ａ，３３ｂは導電ピン１２およびダミーピン４３の何れの部分に接続される場合であっても、磁極歯の下側からのみコイル線が案内されることになり、導電ピン１２，ダミーピン４３が下方へスライドしてもコイル線が弛むだけとなり、各導電ピン１２やダミーピン４３が個々にバラバラに下方へスライドするような場合であっても、コイル線に部分的にテンションが加わることもなく、コイル線の断線をより確実に防止できることになる。
【００２８】
図５は、本発明の更に他の実施形態を示すものである。
この実施形態のものは、ステータ２３の下側インシュレータ３２のボス部４１Ｂに設けられたダミーピン４８をインシュレータ３２に一体成形により形成したことを特徴とするものであり、ボス部４１の上端面にダミーピン４８が、他の導電ピン１２の上端より低い位置になるよう突設されている。
【００２９】
そして、ステータコイル３３の第１のコイル巻線３３ａの巻線作業において、その巻き始め端が第１のボス部４１Ａの導電ピン１２の上端部にからげ接続されて第１の磁極歯３０Ａの下方側に向け案内されているとともに、第３の磁極歯３０Ｃの下方側から第２のボス部４１Ｂに一体のダミーピン４８の上端部に案内されて中継接続され、さらに、巻き終わり端がダミーピン４８の上端部から第３の磁極歯３０Ｃの下方側に戻して、この第３の磁極歯３０Ｃの下方側から第３のボス部４１Ｃの導電ピン１２の上端部に案内されてからげ接続されている。
【００３０】
上記の実施形態にあっては、ボス部４１Ｂのダミーピン４８は、それ自体ボス部４１Ｂに対してスライドなどの移動をすることはないが、他のボス部４１Ａ，４１Ｃ，４１Ｄに挿通保持された導電ピン１２に下方への移動，変位が生じてもコイル線は弛むだけであり、断線の危険は皆無である。
【００３１】
以上、本発明の実施形態について説明したが、本発明はこれら実施形態に限定されるものではなく、その主旨を逸脱しない範囲で種々の修正，変更が可能である。
【００３２】
【発明の効果】
以上のように本発明のブラシレスモータによれば、ステータコイルの２相分の各コイル巻線の各々の両端部が３本の導電ピンおよびダミーピンの各々の上端部に対しそれぞれ磁極歯の下方側から案内して接続されている構成としたので、ステータ自身の組立工程やステータをハウジングの支持部に組み付けるに際して、導電ピンなどにインシュレータに対して押し付け力が加わって下方にスライドしても、各コイル巻線の端部が導電ピンまたはダミービンとの接続部分に対して単に弛むだけであって、テンションが加わることがないので、コイル巻線の断線が生じることがない。
【図面の簡単な説明】
【図１】本発明のブラシレスモータをファンモータに適用した場合の実施形態を示す断面図である。
【図２】図１のブラシレスモータにおけるステータを示し、（ａ）は巻線前のステータの平面図、（ｂ）は巻線後のステータの正面図、（ｃ）は（ｂ）の一部を切断した右側面図、（ｄ）はステータの巻線の展開説明図である。
【図３】図１のブラシレスモータにおける要部の結線図である。
【図４】本発明のブラシレスモータの他の実施形態を示すステータの巻線の展開説明図である。
【図５】本発明のブラシレスモータの更に他の実施形態を示すステータの一部を切断した右側面図である。
【図６】従来のブラシレスモータのステータを示し、（ａ）は巻線前のステータの平面図、（ｂ）は巻線後のステータの正面図、（ｃ）は（ｂ）の一部を切断した右側面図、（ｄ）はステータの巻線の展開説明図である。
【図７】従来のブラシレスモータにおける一部の結線図である。
【符号の説明】
１２  導電ピン
１８  ハウジング
１９  円筒部（支持部）
２１  シャフト
２２  インペラ（回転体）
２３  ステータ
２８  ロータマグネト
３０  ステータコア
３０Ａ〜３０Ｄ  磁極歯
３１，３２  インシュレータ
３３  ステータコイル
４１Ａ〜４１Ｄ  ボス部
４２Ａ〜４２Ｄ  取付孔
４３、４８  ダミーピン
【図１】
0004043637.tif 000002
【図２】
0004043637.tif 000003
【図３】
0004043637.tif 000004
【図４】
0004043637.tif 000005
【図５】
0004043637.tif 000006
【図６】
0004043637.tif 000007
【図７】
0004043637.tif 000008